(57)【要約】【課題】電装ユニットとリモコンの配置を改良することにより、電装ユニットの放熱性能を改善したヒートポンプ式給湯装置の室外機を提供する。【解決手段】圧縮機３１は外装ケース５１内の一側に配置され、蒸発器３２と送風機３４は圧縮機の側方に配置される。電装ユニット７０は天板５６の下側の外装ケース内の一側に配置され、リモコン７１は外装ケースの側板５５Ｂと電装ユニットとの間に配置される。放熱部７２はリモコンとは反対側に位置する部分の電装ユニットに設けられ、送風機による通風経路内に位置する。【選択図】図２
2017211155.tif 000002
【特許請求の範囲】
【請求項１】
側板と、着脱可能な天板を有する外装ケース内に、ヒートポンプ回路を構成する圧縮機と、蒸発器と、該蒸発器に通風するための送風機を設けて成るヒートポンプ式給湯装置の室外機において、
放熱部を有して前記圧縮機と送風機を制御する電装ユニットと、
表示部を有して前記電装ユニットに接続された操作用のリモコンを備え、
前記圧縮機は、前記外装ケース内の一側に配置され、前記蒸発器と送風機は、前記圧縮機の側方に配置されており、
前記電装ユニットは、前記天板下側における前記外装ケース内の一側に配置され、
前記リモコンは、前記外装ケースの前記圧縮機側の側板と前記電装ユニットとの間に配置されると共に、
前記放熱部は、前記リモコンとは反対側に位置する部分の前記電装ユニットに設けられ、前記送風機による通風経路内に位置することを特徴とするヒートポンプ式給湯装置の室外機。
【請求項２】
前記電装ユニットと前記側板との間に前記リモコンを保持する保持部を備え、
前記リモコンは、前記天板が取り外された状態で、前記保持部から取出自在とされていることを特徴とする請求項１に記載のヒートポンプ式給湯装置の室外機。
【請求項３】
前記リモコンは、係止部材に係止された状態で前記保持部に保持されると共に、
前記リモコン及び係止部材が前記保持部に保持された状態で、前記天板は緩衝材を介して前記係止部材に当接することを特徴とする請求項２に記載のヒートポンプ式給湯装置の室外機。
【請求項４】
前記側板には、前記リモコンの表示部に対応する位置に窓孔が形成されていることを特徴とする請求項１乃至請求項３のうちの何れかに記載のヒートポンプ式給湯装置の室外機。
【請求項５】
前記リモコンに対応する位置の前記天板には取出口が形成されており、前記リモコンは該取出口からに取出自在とされると共に、
該取出口は、蓋部材にて開閉自在に閉塞されていることを特徴とする請求項１乃至請求項４のうちの何れかに記載のヒートポンプ式給湯装置の室外機。
【発明の詳細な説明】
【技術分野】
【０００１】
本発明は、ヒートポンプ回路により給湯用水を加熱するヒートポンプ式給湯装置の室外機に関するものである。
【背景技術】
【０００２】
従来、この種のヒートポンプ式給湯装置としては、給湯用水を貯留する貯湯タンクと、この貯湯タンク内の給湯用水をポンプによって貯湯タンクの下部から取り出して水熱交換器に流通した後、貯湯タンクの上部に流入させる給湯回路と、この給湯回路の水熱交換器を流通する給湯用水を冷媒によって加熱するヒートポンプ回路を備えたものが知られている（例えば、特許文献１参照）。また、ヒートポンプを用いた空気調和機の室外機として、圧縮機と熱交換器及びファンを外装ケース内に並設し、圧縮機の上方に電装部を設け、この電装部のスイッチや表示装置を、着脱自在の把手用の孔に対応して配置したものも開発されている（例えば、特許文献２参照）。
【先行技術文献】
【特許文献】
【０００３】
【特許文献１】特開２０１０−２５４９３号公報
【特許文献２】特開２００７−５１８２２号公報
【発明の概要】
【発明が解決しようとする課題】
【０００４】
ここで、電装部には発熱を伴うパワー素子が設けられるが、係る従来の室外機では、電装部が圧縮機の上方に配置された構造であっため、送風機による通風でこの電装部を空冷することが難しかった。また、スイッチや表示装置が電装部の下側に設けられていたため、操作を把手用の孔から行わなければならず、操作性が極めて悪いものであった。
【０００５】
本発明は、係る従来の技術的課題を解決するために成されたものであり、放熱部を有する電装ユニットと表示部を有するリモコンの配置を改良することにより、電装ユニットの放熱性能を改善し、更には、リモコンの視認性と操作性も向上させたヒートポンプ式給湯装置の室外機を提供することを目的とする。
【課題を解決するための手段】
【０００６】
本発明のヒートポンプ式給湯装置の室外機は、側板と、着脱可能な天板を有する外装ケース内に、ヒートポンプ回路を構成する圧縮機と、蒸発器と、この蒸発器に通風するための送風機を設けて成るものであって、放熱部を有して圧縮機と送風機を制御する電装ユニットと、表示部を有して電装ユニットに接続された操作用のリモコンを備え、圧縮機は、外装ケース内の一側に配置され、蒸発器と送風機は、圧縮機の側方に配置されており、電装ユニットは、天板下側における外装ケース内の一側に配置され、リモコンは、外装ケースの圧縮機側の側板と電装ユニットとの間に配置されると共に、放熱部は、リモコンとは反対側に位置する部分の電装ユニットに設けられ、送風機による通風経路内に位置することを特徴とする。
【０００７】
請求項２の発明のヒートポンプ式給湯装置の室外機は、上記発明において電装ユニットと側板との間にリモコンを保持する保持部を備え、リモコンは、天板が取り外された状態で、保持部から取出自在とされていることを特徴とする。
【０００８】
請求項３の発明のヒートポンプ式給湯装置の室外機は、上記発明においてリモコンは、係止部材に係止された状態で保持部に保持されると共に、リモコン及び係止部材が保持部に保持された状態で、天板は緩衝材を介して係止部材に当接することを特徴とする。
【０００９】
請求項４の発明のヒートポンプ式給湯装置の室外機は、上記各発明において側板には、リモコンの表示部に対応する位置に窓孔が形成されていることを特徴とする。
【００１０】
請求項５の発明のヒートポンプ式給湯装置の室外機は、上記各発明においてリモコンに対応する位置の天板には取出口が形成されており、リモコンはこの取出口からに取出自在とされると共に、この取出口は、蓋部材にて開閉自在に閉塞されていることを特徴とする。
【発明の効果】
【００１１】
本発明によれば、側板と、着脱可能な天板を有する外装ケース内に、ヒートポンプ回路を構成する圧縮機と、蒸発器と、この蒸発器に通風するための送風機を設けて成るヒートポンプ式給湯装置の室外機において、放熱部を有して圧縮機と送風機を制御する電装ユニットと、表示部を有して電装ユニットに接続された操作用のリモコンを備えており、圧縮機が、外装ケース内の一側に配置され、蒸発器と送風機が、圧縮機の側方に配置されている場合に、電装ユニットを、天板下側における外装ケース内の一側に配置し、リモコンを、外装ケースの圧縮機側の側板と電装ユニットとの間に配置すると共に、放熱部を、リモコンとは反対側に位置する部分の電装ユニットに設けて送風機による通風経路内に位置させたので、リモコンを配置する分、電装ユニットは圧縮機側の側板から離間して、その放熱部が送風機に近づくことになる。
【００１２】
これにより、電装ユニットの放熱部に、送風機による風がより強く吹き付けられるようになり、電装ユニットの放熱性能を著しく改善することができるようになる。また、リモコンも、着脱可能な外装ケースの天板を取り外すことで操作することができ、初期設定やメンテナンスの作業性も向上する。
【００１３】
この場合、請求項２の発明の如く電装ユニットと側板との間にリモコンを保持する保持部を設け、リモコンを、天板が取り外された状態で、保持部から取出自在とすることで、操作性は一段と向上する。
【００１４】
また、請求項３の発明の如く、リモコンを係止部材に係止させた状態で保持部に保持させると共に、リモコン及び係止部材が保持部に保持された状態で、天板が緩衝材を介して係止部材に当接するようにすれば、天板がリモコンの固定部材を兼ねることになり、格別な部材を設けること無く、輸送時の振動でリモコン及び係止部材が上下に揺れる不都合を解消することができるようになり、部品点数の削減を図ることが可能となる。
【００１５】
また、請求項４の発明の如く、リモコンの表示部に対応する位置の側板に、窓孔を形成すれば、天板を取り外すこと無く、リモコンの表示部を視認することができるようになり、メンテナンス性が一段と改善される。この場合にも窓孔は外装ケースの側板に形成されているので、天板に形成した場合に比して雨水が溜まり難く、防水上極めて有利となる。
【００１６】
尚、請求項５の発明の如くリモコンに対応する位置の天板に取出口を形成し、リモコンをこの取出口からに取出自在とし、更にこの取出口を蓋部材にて開閉自在に閉塞するようにすれば、天板を取り外すこと無くリモコンを操作することができるようになり、設定やメンテナンス作業性がより一層改善されることになる。
【図面の簡単な説明】
【００１７】
【図１】本発明を適用した一実施形態としてのヒートポンプ式給湯装置の構成図である。
【図２】図１のヒートポンプ式給湯装置の室外機の内部構成を説明する概略断面図である（実施例１）。
【図３】図２の室外機の側面図である。
【図４】図１のヒートポンプ式給湯装置のリモコンの正面図である。
【図５】図４のリモコンと係止部材の側面図である。
【図６】図５のリモコンと係止部材、及び、保持部の斜視図である。
【図７】本発明の他の実施例のヒートポンプ式給湯装置の室外機の内部構成を説明する概略断面図である（実施例２）。
【発明を実施するための形態】
【００１８】
以下、本発明の実施の形態について、図面を参照しながら詳細に説明する。
【実施例１】
【００１９】
（１）ヒートポンプ式給湯装置１
実施例のヒートポンプ式給湯装置１は、給湯用水を貯留する貯湯タンク１０と、貯湯タンク１０の給湯用水を流通させる給湯回路２０と、冷媒を流通させるヒートポンプ回路３０と、給湯回路２０の給湯用水とヒートポンプ回路３０の冷媒とを熱交換させる水熱交換器４０を備えており、給湯回路２０を流通する給湯用水をヒートポンプ回路３０の冷媒によって加熱するように構成されている。
【００２０】
（２）貯湯タンク１０
前記貯湯タンク１０は縦長の密閉容器から成り、屋外等に設置される。貯湯タンク１０の下部には水道水を導入するための給水配管１１が接続されている。また、給水配管１１には減圧弁１２が設けられている。貯湯タンク１０の上部には、貯湯タンク１０内の湯を住居内の給湯先に供給するための給湯配管１３が接続され、給湯配管１３と給水配管１１はバイパス管１４を介して接続されている。
【００２１】
給湯配管１３とバイパス管１４との間には混合弁１５が設けられ、混合弁１５は、貯湯タンク１０内の湯と給水配管１１からの水を混合して給湯配管１３に流通させるように構成されている。また、貯湯タンク１０には、貯湯タンク１０内の給湯用水の温度を検出する貯湯温度センサ１６が設けられ、この貯湯温度センサ１６は貯湯タンク１０の上下方向の所定箇所（実施例では略中央）に取り付けられている。
【００２２】
（３）給湯回路２０
前記給湯回路２０は、貯湯タンク１０の下部と後述する室外機５０の外装ケース５１の外面に取り付けられた流入側の接続口５２との間に接続された流入管２１と、水ポンプ２３と、この水ポンプ２３の吸入側と接続口５２との間に接続された入水管２２と、水ポンプ２３の吐出側と水熱交換器４０の流入側の間に接続された出水管２４と、水熱交換器４０の流出側と外装ケース５１の外面に取り付けられた流出側の接続口５４との間に接続された出口管２６と、接続口５４と貯湯タンク１０の上部に接続された流出管２７とから構成されており、入水管２２には給湯用水の温度を検出する入水温度センサ２８が設けられ、出口管２６にも給湯用水の温度を検出する出湯温度センサ２９が設けられている。
【００２３】
この給湯回路２０には、内部の水を抜くための水抜き栓１８が設けられている。この水抜き栓１８も室外機５０の外装ケース５１の外面に取り付けられており、水抜き管１９を介して入水管２２に連通接続されている。尚、５２Ａ、５４Ａは、接続口５２及び５４に設けられた空気抜き弁であり、２５は入水管２２に設けられたフィルタである。
【００２４】
（４）ヒートポンプ回路３０
前記ヒートポンプ回路３０は、圧縮機３１、蒸発器３２、膨張弁（減圧装置）３３、及び、前記水熱交換器４０を接続して冷媒回路が構成されており、圧縮機３１、水熱交換器４０、膨張弁３３、蒸発器３２、圧縮機３１の順に冷媒を流通させるように構成されている。尚、このヒートポンプ回路３０で使用される冷媒は、例えばＣＯ2（二酸化炭素）等の自然系冷媒である。また、３４は蒸発器３２に通風するための送風機である。
【００２５】
前記水熱交換器４０は、冷媒流通路４１と水流通路４２を有する二重管型の熱交換器から構成されており、冷媒流通路４１にはヒートポンプ回路３０が接続され、水流通路４２には給湯回路２０の出水管２４及び出口管２６が接続されている。
【００２６】
実施例のヒートポンプ式給湯装置１は、水ポンプ２３、ヒートポンプ回路３０、水熱交換器４０、入水温度センサ２８及び出湯温度センサ２９等が配置された前記室外機５０と、貯湯タンク１０及び貯湯温度センサ１６が配置されたタンクユニット６０を備えており、室外機５０とタンクユニット６０が、室外機５０の外装ケース５１に取り付けられた接続口５２、５４において、給湯回路２０の流入管２１と流出管２７を介して接続される。また、室外機５０は貯湯タンク１０に隣接して屋外等に設置される
【００２７】
（５）電装ユニット７０
また、ヒートポンプ式給湯装置１には、貯湯温度センサ１６、入水温度センサ２８、出湯温度センサ２９、圧縮機３１、送風機３４、及び、水ポンプ２３が接続された電装ユニット７０が設けられ、この電装ユニット７０は室外機５０の外装ケース５１内に配置されている。
【００２８】
電装ユニット７０は、プログラムが格納されたＣＰＵとパワー素子（発熱素子）を備え、実施例では貯湯温度センサ１６、及び、入水温度センサ２８の検出温度に基づいて圧縮機３１、水ポンプ２３、及び、送風機３４を制御するように構成されている。また、電装ユニット７０はタイマ機能を有しており、電装ユニット７０には当該タイマ機能の設定その他の操作と、エラー表示等を行うためのリモコン（操作パネル）７１が接続され、このリモコン７１も外装ケース５１内に配置されている。
【００２９】
この電装ユニット７０により、給湯回路２０の水ポンプ２３が作動すると、貯湯タンク１０内の給湯用水が貯湯タンク１０の下部から導出され、流入管２１内を室外機５０に向かって流れる。流入管２１内を上昇して接続口５２から室外機５０内に入った給湯用水は、入水管２２、水ポンプ２３、及び、出水管２４を介して水熱交換器４０の水流通路４２を流通された後、出口管２６内を流れて接続口５４から流出管２７に至る。この流出管２７に流入した給湯用水は当該流出管２７内を流れて貯湯タンク１０内の上部に流入することになる。
【００３０】
また、電装ユニット７０により、ヒートポンプ回路３０の圧縮機３１が作動すると、圧縮機３１から吐出された高温冷媒（二酸化炭素）が水熱交換器４０の冷媒流通路４１を流通され、冷媒流通路４１の高温冷媒と水流通路４２の給湯用水とが熱交換される。これにより、給湯回路２０の給湯用水が水熱交換器４０で加熱される。高温冷媒は水熱交換器４０で給湯用水を加熱することで温度が低下する。冷媒は更に膨張弁３３を通過することで低温低圧状態に膨張し、気液二相冷媒となる。この気液二相冷媒が蒸発器３２に流入して蒸発する。この蒸発器３２には送風機３４により外気が通風されるので、冷媒は蒸発に伴う吸熱作用で外気から熱を汲み上げる。そして、蒸発器３２で吸熱した冷媒は、圧縮機３１に吸い込まれる循環を繰り返す。
【００３１】
また、給湯先で湯が使用されると、貯湯タンク１０内の上部の給湯用水が給湯配管１３に流出し、流出した分だけ給水配管１１から貯湯タンク１０内の下部に水が供給される。即ち、湯が使用されることにより、貯湯タンク１０内の高温の給湯用水が減ると共に、低温の給湯用水が貯湯タンク１０内の下部から増えていき、貯湯温度センサ１６の検出温度が徐々に低下することになる。
【００３２】
そして、貯湯温度センサ１６の検出温度が所定の貯湯温度以下になると、電装ユニット７０は圧縮機３１、送風機３４、及び、水ポンプ２３を作動させ、沸き上げ運転を開始する。その後、入水温度センサ２８の検出温度が所定の入水温度以上になった場合、沸き上げ運転を終了する。また、貯湯温度センサ１６の検出温度が所定の貯湯温度以下にならない場合でも、前回の沸き上げ運転終了から前記タイマ機能により計時した時間が所定時間となった場合、電装ユニット７０は圧縮機３１、送風機３４、及び、水ポンプ２３を作動させ、沸き上げ運転を開始する。その後、入水温度センサ２８の検出温度が所定の入水温度以上になった場合、沸き上げ運転を終了する。
【００３３】
このようにして電装ユニット７０は貯湯タンク１０内に所定温度の給湯用水を貯留する沸き上げ運転を実行するものであるが、貯湯タンク１０内の給湯用水の温度を検出する貯湯温度センサ１６を貯湯タンク１０の上下方向の所定箇所に設け、この貯湯温度センサ１６を電装ユニット７０に接続して、この貯湯温度センサ１６の検出温度に基づいて電装ユニット７０が沸き上げ運転を行うように構成しているので、貯湯タンク１０側に電装ユニットを設ける必要がなくなる。これにより、貯湯タンク１０として汎用品を使用することができるようになり、汎用性に富んだものとなる。
【００３４】
（６）室外機５０の内部構成
次に、図２〜図６を参照して前記室外機５０内部の構成について説明する。室外機５０の外装ケース５１は、左右の側板５５Ａ、５５Ｂを有する本体５５と、この本体５５の上面にネジ６３により着脱可能に取り付けられた天板５６から構成されており、本体５５内は仕切壁５７により左右に仕切られ、仕切壁５７の向かって右側（一側）に第１の機械室５８、左側（他側）に第２の機械室５９が構成されている。
【００３５】
前記ヒートポンプ回路３０の圧縮機３１はこの第１の機械室５８内に設置されており、水熱交換器４０は第２の機械室５９内の下部に設置されている。ヒートポンプ回路３０の蒸発器３２は第２の機械室５９内の背面側に配置されており、送風機３４は蒸発器３２の手前側の第２の機械室５９内に配置されている。即ち、圧縮機３１は外装ケース５１内の一側に位置し、蒸発器３２と送風機３４はこの圧縮機３１の側方（向かって左方）に配置されたかたちとされている。
【００３６】
この送風機３４の周囲には、シュラウド６１が設けられている。このシュラウド６１は円形筒状を呈しており、送風機３４の周囲を囲繞している。そして、このシュラウド６１と仕切壁５７、及び、水熱交換器４０とが作る第２の機械室５９内の隅角部に、前記水ポンプ２３が取り付けられており、水ポンプ２３の外側はポンプカバー６２で被覆されている。このように、水ポンプ２３をシュラウド６１が作る外装ケース５１の第２の機械室５９内の隅角部に配置したので、送風機３４のシュラウド６１が作る第２の機械室５９内の無効空間を利用して水ポンプ２３を室外機５０の外装ケース５１内に取り付けることができるようになり、室外機５０の小型化を図ることができるようになる。
【００３７】
また、前記水抜き栓１８は、外装ケース５１の本体５５の一側の側面５５Ｂの最下部に設けられている。そして、この位置は水熱交換器４０の上側に取り付けられた水ポンプ２３より低い位置となる。このように、水抜き栓１８を水ポンプ２３より低い位置に配置したことにより、水抜き栓１８を開放すれば、それより上にある水ポンプ２３の水も出てくることになる。即ち、給湯回路２０の入水管２２から水抜きを行う際、水抜き栓１８により、水ポンプ２３の水まで容易に抜くことができるようになるので、利便性に富んだものとなる。
【００３８】
（７）電装ユニット７０とリモコン７１の構造と配置
前述した電装ユニット７０は、天板５６の下側における外装ケース５１内の一側に配置されている。この場合、仕切壁５７の上端は天板５６から離間している。そして、電装ユニット７０はこの仕切壁５７の上方に間隔を存して配置され、第１の機械室５８から第２の機械室５９に渡っており、また、一側の側板５５Ｂからも離間している。そして、この側板５５Ｂと電装ユニット７０との間に前述したリモコン７１が配置されている。
【００３９】
また、電装ユニット７０にはパワー素子に熱交換関係で取り付けられた放熱部７２（アルミニウム製のフィン等から成るヒートシンク）が設けられている。この放熱部７２は、リモコン７１とは反対側に位置する部分の電装ユニット７０に取り付けられているが、リモコン７１を配置するために電装ユニット７０が側板５５Ｂから離間した分、送風機３４の中心に近い位置となる。
【００４０】
ここで、前述した如く送風機３４が運転されると蒸発器３２に外気が通風されるが、放熱部７２はこの送風機３４による通風経路内に位置している。従って、放熱部７２が送風機３４に近づいた分、送風機３４による風はより多く放熱部７２を通過することになり、電装ユニット７０の電装部品（ＣＰＵやパワー素子）からの放熱は良好に行われることになる。
【００４１】
一方、リモコン７１は図４に示す如くエラー表示等を行うための表示部７３と、設定操作等を行うためのスイッチ７４を有しており、ケーブル７６にて電装ユニット７０に接続されている。このリモコン７１は背面に係合爪７７が形成されており、この係合爪７７が係合するかたちで、リモコン７１は図５に示す如く係止部材７８に係止されている。また、この係止部材７８の上端にはクッション材から成る緩衝材７９が取り付けられている。
【００４２】
他方、外装ケース５１の側板５５Ｂの内面には、保持部８１が構成されている。この保持部８１は、側板５５Ｂ側及び上方に開放したスロット状を呈しており、係止部材７８に係止された状態のリモコン７１はこの保持部８１内に上方に取出自在に保持される。この場合、リモコン７１は表示部７３が側板５５Ｂ側となった状態で保持される。そして、この表示部７３に対応する位置の側板５５Ｂには透視用の窓孔８２が形成されており、これにより、リモコン７１の表示部７３に表示されるエラー表示等を外部から確認できるように構成されている。尚、窓孔８２には透明板が嵌め込まれており、それによって窓孔８２は雨水等が侵入しないようにシールされている。
【００４３】
リモコン７１を操作する場合には、天板５６を取り外して保持部８１から係止部材７８ごとリモコン７１を上方に取り出す。ケーブル７６はこの取出操作を許容するように十分な長さを有している。リモコン７１を操作した後は、保持部８１内に差し入れて保持させ、天板５６を本体５５に取り付ける。このとき天板５６は緩衝材７９を介して係止部材７８に当接し、これにより、リモコン７１及び係止部材７８は移動できなくなる。
【００４４】
以上詳述した如く、圧縮機３１を外装ケース５１内の一側に配置し、蒸発器３２と送風機３４を圧縮機３１の側方に配置した室外機５０において、電装ユニット７０を、着脱可能な天板５６の下側における外装ケース５１内の一側に配置し、リモコン７１を、外装ケース５１の圧縮機３１側（一側）の側板５５Ｂと電装ユニット７０との間に配置すると共に、放熱部７２を、リモコン７１とは反対側に位置する部分の電装ユニット７０に設けて送風機３４による通風経路内に位置させたので、リモコン７１を配置する分、電装ユニット７０が圧縮機３１側の側板５５Ｂから離間して、その放熱部７２が送風機３４に近づく。
【００４５】
これにより、電装ユニット７０の放熱部７２に、送風機３４による風がより強く吹き付けられるようになり、電装ユニット７０の放熱性能を著しく改善することができるようになる。また、リモコン７１も、着脱可能な外装ケース５１の天板５６を取り外すことで操作することができ、初期設定やメンテナンスの作業性も向上する。
【００４６】
この場合、電装ユニット７０と側板５５Ｂとの間にリモコン７１を保持する保持部８１を設け、リモコン７１を、天板５６が取り外された状態で、保持部８１から取出自在としているので、操作性は一段と向上する。また、リモコン７１を係止部材７８に係止させた状態で保持部８１に保持させると共に、リモコン７１及び係止部材７８が保持部８１に保持された状態で、天板５６が緩衝材７９を介して係止部材７８に当接するようにしているので、天板５６がリモコン７１の固定部材を兼ねることになり、格別な部材を設けること無く、輸送時の振動でリモコン７１及び係止部材７８が上下に揺れる不都合を解消することができるようになる。これにより、部品点数の削減を図ることが可能となる。
【００４７】
また、リモコン７１の表示部７３に対応する位置の側板５５Ｂに窓孔８２を形成しているので、天板５６を取り外すこと無く、リモコン７１の表示部７３を視認することができるようになり、メンテナンス性が一段と改善される。この場合にも窓孔８２は外装ケース５１の側板５５Ｂに形成されているので、天板５６に形成した場合に比して雨水が溜まり難く、防水上極めて有利となる。
【実施例２】
【００４８】
次に、図７は他の実施例の室外機５０の内部構成を示す図である。尚、この図において図２と同一符号で示すものは同一若しくは同様の機能を奏するものとする。この実施例では天板５６の一側端に取出口８３が形成されている。この取出口８３は、保持部８１に保持されたリモコン７１及び係止部材７８の直上に対応しており、それらを取出可能な開口寸法を有している。また、この開口８３はヒンジ８６にて回動自在に天板５６に取り付けられた蓋部材８４により開閉自在に閉塞されている。
【００４９】
そして、この場合も係止部材７８の緩衝材７９は蓋部材８４に当接するかたちとなる。このように、リモコン７１に対応する位置の天板５６に取出口８３を形成し、リモコン７１及び係止部材７８をこの取出口８３からに取出自在とし、更にこの取出口８３を蓋部材８４にて開閉自在に閉塞するようにすれば、天板５６を取り外すこと無くリモコン７１を操作することができるようになり、設定やメンテナンス作業性がより一層改善されることになる。
【００５０】
尚、以上は本発明の好ましい実施形態で説明したが、本発明は上述した実施形態に制限されるものでは無く、本発明の技術的思想に基づいて更なる変形等が可能であることは云うまでもない。
【符号の説明】
【００５１】
１  ヒートポンプ式給湯装置
１０  貯湯タンク
１６  貯湯温度センサ
２０  給湯回路
２２  入水管
２３  水ポンプ
３０  ヒートポンプ回路
３１  圧縮機
３２  蒸発器
３３  膨張弁
３４  送風機
４０  水熱交換器
５０  室外機
５１  外装ケース
５５Ｂ  側板
５６  天板
７０  電装ユニット
７１  リモコン
７２  放熱部
７３  表示部
７８  係止部材
７９  緩衝材
８１  保持部
８２  窓孔
８３  取出口
８４  蓋部材
【図１】
2017211155.tif 000003
【図２】
2017211155.tif 000004
【図３】
2017211155.tif 000005
【図４】
2017211155.tif 000006
【図５】
2017211155.tif 000007
【図６】
2017211155.tif 000008
【図７】
2017211155.tif 000009